(57)【要約】【課題】表示板の画面に対する有効表示面積が限られてしまうようなケースを回避して多くの情報をインタラクティブに表示することができるインタラクティブ表示装置を実現する。【解決手段】表示板１０６と、サブフレームとして複数のレイヤを用いた仮想表示に関する表示制御を行う表示制御手段１０５と、コマンド入力手段１０７と、コマンド解析手段１０８と、表示板１０６の全体表示面積に対して前記複数のレイヤに対応したコンテンツを用いたサブフレーム表示制御を実行する表示制御手段１０１０とを備える。【選択図】図１０
2005107546.tif 000002
【特許請求の範囲】
【請求項１】
コンテンツの視聴を支援する案内板に利用されるインタラクティブ表示装置であって、
視聴者に対して表示する表示板と、
サブフレームとして複数のレイヤを用いた仮想表示に関する表示制御を行う表示制御手段と、
コンテンツをインタラクティブに変更するためのコマンドまたはサブフレーム表示を指示する仮想表示コマンドを、視聴者から受け取るコマンド入力手段と、
前記入力されたコマンドの指示内容を解析する解析手段と、
前記解析情報に応じて前記複数のレイヤに対応したコンテンツを読み出す読出手段と、
前記表示板の全体表示面積に対して前記複数のレイヤに対応したコンテンツを用いたサブフレーム表示制御を実行する表示制御手段とを備えたことを特徴とするインタラクティブ表示装置。
【請求項２】
コンテンツの視聴を支援する案内板に利用されるインタラクティブ表示装置であって、
視聴者に対して表示する表示板と、
サブフレームとして複数のレイヤを用いた仮想表示に関する表示制御を行う表示制御手段と、
コンテンツをセンターシステム側もしくは表示板側でインタラクティブに変更するためのコマンドまたはサブフレーム表示を指示する仮想表示コマンドを、視聴者から受け取るコマンド入力手段と、
前記入力されたコマンドの指示内容を解析すると共に、当該解析したコマンドが前記仮想表示コマンドであると判定した場合に前記サブフレームを用いた仮想表示の指示が生起されたことを解析情報として出力するコマンド解析手段と、
各種のコンテンツが蓄積されており、コンテンツの出力要求を受けたときに当該出力要求に応じたコンテンツを読み出して出力するコンテンツ蓄積手段と、
前記解析情報に応じて前記複数のレイヤに対応したコンテンツを読み出す要求を前記コンテンツ蓄積手段に指示すると共に、当該コンテンツ蓄積手段から受け取った当該複数のレイヤに対応したコンテンツを前記表示制御手段に出力する表示選択手段とを備え、
前記表示制御手段は、前記表示板の全体表示面積に対して前記複数のレイヤに対応したコンテンツを用いたサブフレーム表示制御を実行する
ことを特徴とするインタラクティブ表示装置。
【発明の詳細な説明】
【技術分野】
【０００１】
本発明は、広告用の表示板、街頭やショッピングモール、デパートに設置される案内板に利用される表示装置に関し、特に、センターシステムと端末側の表示板とこれらを結ぶ通信回線を備え、ユーザーからの入力（デマンド）に応じて、静止画像、文字情報、動画像に代表されるコンテンツの配信や表示を、センターシステムあるいは表示板がインタラクティブに変えながら表示する対話（ｉｎｔｅｒａｃｔｉｖｅ）機能を備えた対話型の表示システムに関する。
【背景技術】
【０００２】
一般的に、広告用の表示板、街頭やショッピングモール、デパートに設置される案内板に利用される従来の表示板は、図２０に示すように枠体内に蛍光灯などの照明手段を仕込み、表面上に透明性を有するインクを用いて店名や写真などの広告情報や案内情報などを印刷した半透明パネル（アクリルなどのパネル）を枠体の前面に覆設して固定したハードウェア構成となっている。
【０００３】
しかしながら、このような表示板では、設置された広告板に対する定量的な判定（つまり視聴者に役立っているかどうか）、あるいは広告宣伝効果が計れないという問題点があった。
【０００４】
このような従来の問題点を解決することを課題として、図２１に示すように、広告板の上部にテレビカメラ（図２１中の画像入力手段）を設けて、画像処理により広告板の視聴者（すなわち、広告板を見る人）をカウントする従来技術が知られている。
【０００５】
しかしながら、このような従来技術において、テレビカメラで人物の属性を判定することは、大掛かりな装置を必要とするという問題点があった。
【０００６】
また、特公平５−７５１２４号公報に示すような、表示板にＣＲＴ表示又はプラズマディスプレイ又はＬＣＤを用い、その表面にタッチパネルを使ってコマンド入力する画像入出力システムがある（図２２参照）。
【０００７】
すなわち、この従来技術の画像入出力システムは、指で描くことにより文字、図形を画像情報として入力する、ガラスの表裏両面に抵抗率が均一となるように透明の導電膜を焼付けて構成した高分解能のタッチパネルを表示装置の画面上に重ねて配置すると共に、タッチパネルの指による接触位置をＸ，Ｙ座標値に変換する座標検出装置と、座標検出装置から送られる座標信号に基づき、タッチパネルに描いた文字、図形を、ＣＲＴ表示装置上に対応して表示させるＣＰＵとを備えてなり、かつ、表示装置の画面は画像入出力面とメニュー面との組合せからなり、この画像入出力面は、タッチパネルに指を使って描いた図形等を表示する部分にてなると共に、メニュー面は複数の操作キーを備え、このキーによって、ＣＰＵに対しコマンドを入力する部分にて構成されている。
【特許文献１】特公平５−７５１２４号公報
【発明の開示】
【発明が解決しようとする課題】
【０００８】
しかしながら、前述の従来技術では、画面に対する有効表示面積が限られてしまい、その結果、多くの情報を表示することができないという問題点があった。
【０００９】
本発明は、このような従来の問題点を解決することを課題としており、表示板の画面に対する有効表示面積が限られてしまうようなケースを回避して多くの情報をインタラクティブに表示することができ、四角マトリックス配置に比較して各発光素子（モールド発光表示素子）間のギャップを小さくし近接した４個の発光素子の中間の隙間を小さくして発光素子の集積度を向上させることができるインタラクティブ表示装置を実現することを目的としている。
【００１０】
視聴者の属性や動きにマッチした広告効果や視聴者満足度の高いコンテンツを表示板にベストタイミングで表示できるインタラクティブ表示装置を実現することを目的としている。
【課題を解決するための手段】
【００１１】
上記課題を解決するため成された請求項１に記載の発明は、コンテンツの視聴を支援する案内板に利用されるインタラクティブ表示装置であって、
視聴者に対して表示する表示板と、
サブフレームとして複数のレイヤを用いた仮想表示に関する表示制御を行う表示制御手段と、
コンテンツをインタラクティブに変更するためのコマンドまたはサブフレーム表示を指示する仮想表示コマンドを、視聴者から受け取るコマンド入力手段と、
前記入力されたコマンドの指示内容を解析する解析手段と、
前記解析情報に応じて前記複数のレイヤに対応したコンテンツを読み出す読出手段と、
前記表示板の全体表示面積に対して前記複数のレイヤに対応したコンテンツを用いたサブフレーム表示制御を実行する表示制御手段とを備えたことを特徴とするインタラクティブ表示装置である。
【００１２】
請求項１に記載の発明によれば、コマンド入力手段が、コンテンツをインタラクティブに変更するためのコマンドまたはサブフレーム表示を指示する仮想表示コマンドを視聴者から受け取り、これに応じて解析手段が、入力されたコマンドの指示内容を解析し、これに応じて表示制御手段が、サブフレームとして複数のレイヤを用いた仮想表示に関する表示制御を表示板に対して行うので、表示板の画面に対する有効表示面積が限られてしまうようなケースを回避でき、その結果、多くの情報をインタラクティブに表示することができるようになる。
【００１３】
また、請求項２に記載の発明は、コンテンツの視聴を支援する案内板に利用されるインタラクティブ表示装置であって、
視聴者に対して表示する表示板と、
サブフレームとして複数のレイヤを用いた仮想表示に関する表示制御を行う表示制御手段と、
コンテンツをセンターシステム側もしくは表示板側でインタラクティブに変更するためのコマンドまたはサブフレーム表示を指示する仮想表示コマンドを、視聴者から受け取るコマンド入力手段と、
前記入力されたコマンドの指示内容を解析すると共に、当該解析したコマンドが前記仮想表示コマンドであると判定した場合に前記サブフレームを用いた仮想表示の指示が生起されたことを解析情報として出力するコマンド解析手段と、
各種のコンテンツが蓄積されており、コンテンツの出力要求を受けたときに当該出力要求に応じたコンテンツを読み出して出力するコンテンツ蓄積手段と、
前記解析情報に応じて前記複数のレイヤに対応したコンテンツを読み出す要求を前記コンテンツ蓄積手段に指示すると共に、当該コンテンツ蓄積手段から受け取った当該複数のレイヤに対応したコンテンツを前記表示制御手段に出力する表示選択手段とを備え、
前記表示制御手段は、前記表示板の全体表示面積に対して前記複数のレイヤに対応したコンテンツを用いたサブフレーム表示制御を実行する
ことを特徴とするインタラクティブ表示装置である。
【００１４】
請求項２に記載の発明によれば、コマンド入力手段が、コンテンツをセンターシステム側もしくは表示板側でインタラクティブに変更するためのコマンドまたはサブフレーム表示を指示する仮想表示コマンドを視聴者から受け取り、これに応じてコマンド解析手段が、入力されたコマンドの指示内容を解析し、解析したコマンドが仮想表示コマンドであると判定した場合にサブフレームを用いた仮想表示の指示が生起されたことを解析情報として出力し、これに応じて表示制御手段が、サブフレームとして複数のレイヤを用いた仮想表示に関する表示制御を表示板に対して行うので、表示板の画面に対する有効表示面積が限られてしまうようなケースを回避でき、その結果、多くの情報をインタラクティブに表示することができるようになる。
【発明の効果】
【００１５】
本発明によれば、表示板の画面に対する有効表示面積が限られてしまうようなケースを回避でき、その結果、多くの情報をインタラクティブに表示することができるようになる。
【発明を実施するための最良の形態】
【００１６】
以下、図面に基づき本発明の実施形態を説明する。
【００１７】
（第１参考例）
図１は、第１参考例のインタラクティブ表示装置１０の全体システムを説明するための機能ブロック図である。
【００１８】
図１に示す全体システムは、センターシステム（配信管理ホストコンピュータ２０８）と端末側（インタラクティブ表示装置１０）の表示板１０６（ＣＲＴ表示装置１０６Ｂ）とこれらを結ぶ通信回線（公衆網２０６）を備え、視聴者３０からの入力（デマンド）に応じて、静止画像、文字情報、動画像に代表されるコンテンツ（特に、マルチメディア広告）４０の配信や表示を、配信管理ホストコンピュータ２０８あるいは表示板１０６がインタラクティブに変えながら表示する対話（ｉｎｔｅｒａｃｔｉｖｅ）機能を備えた対話型のメディア配信・表示システムであって、広告用の表示板１０６、街頭やショッピングモール、デパートに設置され、コンテンツ４０の視聴を支援する案内板に利用される。
【００１９】
端末側は、ＣＲＴ（後述するプラズマディスプレイ）を備えたインタラクティブ表示装置１０、表示板１０６の前面に取り付けられたタッチパネル１０６６、視聴者３０が指で押した位置を検出するためのタッチパネル１０６６や座標検出装置１０６７、各種のデータを蓄積しておき適時読み出して出力する蓄積装置（ハードディスク）２０４、及びこれらを統括的に制御するＣＰＵ（パーソナルコンピュータ（ＰＣ））２０３を備えている。
【００２０】
これらの各機器は、ＩＥＥＥ（米国電気電子技術者協会）１３９４に代表される高速シリアル通信インタフェース、あるいはＳＣＳＩに代表されるパラレル通信インタフェースを装備しており、相互接続されている。これにより、データの共有化を図っている。
【００２１】
ＣＰＵ（ＰＣ）２０３には、公衆網２０６を経由して配信管理ホストコンピュータ２０８とデータ通信（コンテンツ４０の授受）を行うための通信インタフェース（通信Ｉ／Ｆ）２０５、ＩＤカードを用いて端末の使用権に関するセキュリティを管理するための無線カードＩＤ認識装置２０２、画像入力装置（後述する画像入力手段１０１、ビデオカメラ）からの入力画像から特定の画像情報を識別するための画像認識装置２００（具体的には、後述する属性判定手段１０２や画像比較手段１８０）が接続されている。
【００２２】
無線カードＩＤ認識装置２０２には、セキュリティを管理するためのデータを授受するためのアンテナ２０１が設けられている。
【００２３】
本参考例では、ＩＳＤＮ回線を用いたインターネット（公衆網２０６）を経由して配信管理ホストコンピュータ２０８とコンテンツ４０の授受を行う。このため、ＩＳＤＮ回線用の通信モデム、あるいはＤＳＵなどの回線制御機器を前述の通信インタフェース（通信Ｉ／Ｆ）２０５として用いている。
【００２４】
このようなネットワーク構成に組み込まれるインタラクティブ表示装置１０は、表示板１０６、画像入力手段１０１、属性判定手段１０２、後述する蓄積手段１５０を中心とするハードウェア構成となっている。
【００２５】
ここで表示板１０６は、コンテンツ４０を視聴した人物である視聴者３０に対して表示する機能を有し、ＣＲＴ、プラズマディスプレイ、ＬＥＤディスプレイ、液晶ディスプレイ等の多様な表示デバイスを用いることができる。
【００２６】
画像入力手段１０１は、コンテンツ４０の視聴者３０を撮影してＩＥＥＥ（米国電気電子技術者協会）１３９４に規定された転送パケットのフォーマットに準拠したビデオ信号１０１ａとして出力する機能を有し、具体的には、ＩＥＥＥ１３９４ディジタルビデオカメラを用いている。
【００２７】
ＩＥＥＥ１３９４（ＦｉｒｅＷｉｒｅとも呼ばれている）は、ＰＣと周辺機器を結ぶインタフェース規格であり、ハードディスクやプリンタといったパソコンの周辺装置だけでなく、ビデオカメラやオーディオ製品などの家電機器も対象としており、パソコンと家電を融合させる役割を果たすものである。伝送速度については１００ＭＢ／秒，２００ＭＢ／秒，４００ＭＢ／秒の３種類が規定されている。パソコンの電源を入れたままで接続できるホット・プラグ・インをサポートし、最大６３台まで接続可能であり、プラグ・アンド・プレイの機能を備えている。またデータ転送では、アイソクロナス（Ｉｓｏｃｈｒｏｎｏｕｓ）転送とアシンクロナス（Ａｓｙｎｃｈｒｏｎｏｕｓ）転送という２つの転送方式を備えている。アイソクロナス転送は、リアルタイムでデータ（パケット）を送ることができるため、画像や音声などのデータを送るインタフェースとして期待されている。一方、アシンクロナス転送では、データは分割して送られるため、ハードディスクやプリンタのデータ転送になど使用される。
【００２８】
ＩＥＥＥ１３９４ディジタルビデオカメラは、視聴者３０の画像を、このようなＩＥＥＥ１３９４に規定された転送パケットのフォーマットに準拠したディジタル信号に変換して、ビデオ信号１０１ａ（以下、ＩＥＥＥ１３９４ディジタルビデオ信号１０１ａ）を生成している。
【００２９】
ＩＥＥＥ１３９４ディジタルビデオ信号１０１ａは、アイソクロナス転送によって、このディジタルバスに接続された情報機器にパケット転送されることになる。
【００３０】
このため、アナログ画像信号をディジタル信号に変換するための画像処理機構をインタラクティブ表示装置１０側に設ける必要が無くなるといったメリットがある。ＩＥＥＥ１３９４のような汎用性の高いインタフェースを流用することにより、デジタルカメラ２１２（後述）やＤＶＤなどのＡＶ機器から画像データを受け取ることができるようになり、システムの柔軟性を向上させることができ、既存の情報リソースとの高い融和性を実現することができる。
【００３１】
蓄積手段１５０は、コンテンツ視聴者３０に関する属性判定の結果１０２ｂを蓄積する機能を有し、具体的には、ハードディスクを用いることがコストパフォーマンスの点で有利である。
【００３２】
図２は、参考例のインタラクティブ表示装置１０において、プラズマディスプレイ１０６Ａなどの電気的表示を行う表示板１０６にＩＥＥＥ１３９４ディジタルビデオカメラ１０１、属性判定手段１０２、ログ記憶手段１０３を付加した構成図である。
【００３３】
属性判定手段１０２は、ＩＥＥＥ１３９４ディジタルビデオ信号１０１ａに基づいて形成される動物体のイメージの動きが小さくなったことを検出する機能、動物体のイメージの動きが小さくなったことを検出した後に、視聴者３０に関する人物属性を判定して属性判断結果情報１０２ａを生成する機能、及び属性判断結果情報１０２ａに基づいて人物像の切り出しを行う機能を有し、前述のＰＣを以て実現している。
【００３４】
ログ記憶手段１０３は、属性判定手段１０２における人物属性判定処理の時間的な履歴を時間データと共にデータベースとして蓄積する機能を有し、前述のＰＣとハードディスクを以て実現している。
【００３５】
図３は、図１の第１参考例のインタラクティブ表示装置１０の具体的なシステムの全体構成図である。
【００３６】
図３に示す全体システムは、配信サーバー２１１（配信管理ホストコンピュータ２０８）とキャッシュ・サーバー２１０とこれらを結ぶＩＳＤＮ回線２０６を備え、視聴者３０からの入力（デマンド）に応じて、静止画像、文字情報、動画像に代表されるコンテンツ（特に、マルチメディア広告）４０の配信や表示を、配信サーバー２１１あるいは表示板１０６がインタラクティブに変えながら表示する対話（ｉｎｔｅｒａｃｔｉｖｅ）機能を備えた対話型のメディア配信・表示システムであって、広告用の表示板１０６、街頭やショッピングモール、デパートに設置され、コンテンツ４０の視聴を支援する案内板に利用される。
【００３７】
キャッシュ・サーバー２１０には、イーサネット（登録商標）回線などのディジタルバスを介して複数台のインタラクティブ表示装置１０，…，１０（具体的には、壁面タイプのインタラクティブ表示装置１０Ａやフロアタイプのインタラクティブ表示装置１０Ｂ）が接続されている。
【００３８】
壁面タイプのインタラクティブ表示装置１０Ａやフロアタイプのインタラクティブ表示装置１０Ｂは、キャッシュ・サーバー２１０を経由することなく、ＩＳＤＮ回線２０６を経由して直接配信サーバー２１１にアクセスできるような接続形態でも良い。
【００３９】
また、配信サーバー２１１に装備されているキャッシュディスクには、コンテンツ４０の内容であるプレゼンテーション・データ２００ａとコンテンツ４０の配信スケジュール（配信先や配信時間）であるスケジュール・データ２００ｂが蓄積されている。
【００４０】
このため配信サーバー２１１は、このようなスケジュール・データ２００ｂに基づいて、プレゼンテーション・データ２００ａを、ＩＳＤＮ回線２０６を経由して前述のキャッシュ・サーバー２１０やインタラクティブ表示装置１０，…，１０（壁面タイプのインタラクティブ表示装置１０Ａやフロアタイプのインタラクティブ表示装置１０Ｂ）に送信している。
【００４１】
図４は、第１参考例のインタラクティブ表示装置１０において、表示板１０６を見る女子高生を説明している。
【００４２】
表示板１０６は、コンテンツ「天気予報  横浜」（横浜近郊の天気情報）４０を通りすがりの女子高生３２に対して表示する。ＩＥＥＥ１３９４ディジタルビデオカメラは、通りすがりの女子高生３２の画像を、ＩＥＥＥ１３９４に規定された転送パケットのフォーマットに準拠したディジタル信号に変換して、ＩＥＥＥ１３９４ディジタルビデオ信号１０１ａを生成している。ＩＥＥＥ１３９４ディジタルビデオ信号１０１ａは、アイソクロナス転送によって、このディジタルバスに接続された情報機器にパケット転送されることになる。蓄積手段１５０は、通りすがりの女子高生３２に関する属性判定の結果１０２ｂを蓄積する。
【００４３】
属性判定手段１０２は、ＩＥＥＥ１３９４ディジタルビデオ信号１０１ａに基づいて形成される通りすがりの女子高生３２のイメージの動きが小さくなったことを検出した後に、通りすがりの女子高生３２に関する人物属性を判定して属性判断結果情報１０２ａを生成し、属性判断結果情報１０２ａに基づいて人物像の切り出しを行う。ログ記憶手段１０３は、属性判定手段１０２における人物属性判定処理の時間的な履歴を時間データと共にデータベースとして蓄積する機能を有し、前述のＰＣを以て実現している。
【００４４】
図５は、第１参考例のインタラクティブ表示装置１０における特徴抽出の概念図である。
【００４５】
頭部はヘアスタイル、眉毛に属性特徴が表れることが知られている。しかし頭部（顔面）だけでは高精細な入力画像や頭部の向きなど、条件が狭くなることが従来例でも知られている。
【００４６】
そこで、本参考例の属性判定手段１０２は、図５に示すように、人物の第２の特徴点として、膝部でのズボン、スカートの着用の区別を中心とした判定、及び第３の特徴点として、履物の特徴、つまり地面から足首の距離による判定を行う。
【００４７】
具体的には、女子高生の人物属性をして、スカートをはいているか否か（素足か否か）、ルーズソックスをはいているか否か、制服を着ているか否か、カバン（手提げ）を所持しているか否かを用いている。
【００４８】
図５では、女子高生は、スカートをはいており（図中○）、ルーズソックスをはいており（図中○）、制服を着ておらず（図中×）、カバン（手提げ）を所持している（図中○）ので、女子高生の人物属性の判定は、スカート（○）、ルーズソックス（○）、制服（×）、カバン（手提げ）（○）となる。その結果、属性判定手段１０２は、通りすがりの女子高生３２のイメージの動きが小さくなったことを検出した後に、通りすがりの女子高生３２に関する人物属性を判定して、人物属性の判定は、スカート（○）、ルーズソックス（○）、制服（×）、カバン（手提げ）（○）といった属性判断結果情報１０２ａを生成する。ログ記憶手段１０３は、属性判定手段１０２における人物属性判定処理の時間的な履歴、すなわち、いつ頃、スカート（○）、ルーズソックス（○）、制服（×）、カバン（手提げ）（○）といった人物属性の女子高生が表示板１０６の前に立ち止まったかをデータベースとして蓄積する。
【００４９】
図６は、第１参考例のインタラクティブ表示装置１０における表示板１０６の画面構成の第１例である。
【００５０】
配信管理ホストコンピュータ２０８から壁面タイプのインタラクティブ表示装置１０Ａやフロアタイプのインタラクティブ表示装置１０ＢにＩＳＤＮ回線２０６を経由して配信されるコンテンツ４０としては、例えば、催事、イベント案内、広告、デパートの館内案内、新聞社提供のニュースなどのマルチメディア情報（静止画像、文字情報、動画像、音声の融合した情報）が準備されている。
【００５１】
またデパートの館内案内としては、図６に示すように、「ＢＦ  名店街」の案内、「１Ｆ  化粧品、靴」の案内、「２Ｆ  婦人服、専門店」の案内、「３Ｆ  時計・めがね、文具・書籍」の案内、「４Ｆ  レストラン街」の案内などがある。
【００５２】
インタラクティブ表示装置１０は、表示板１０６の前面に取り付けられたタッチパネル１０６６を経由して視聴者３０からの入力（デマンド）を受け付け、座標検出装置１０６７を用いて視聴者３０が指で押した位置を検出し、これに応じて、静止画像、文字情報、動画像に代表されるコンテンツ（特に、マルチメディア広告）４０の配信や表示を、配信管理ホストコンピュータ２０８あるいは表示板１０６がインタラクティブに変えながらインタラクティブに表示して、コンテンツ４０の視聴を支援している。
【００５３】
例えば、インタラクティブ表示装置１０は、表示板１０６の前面に取り付けられたタッチパネル１０６６を経由して視聴者３０からの入力（デマンド）を受け付け、座標検出装置１０６７を用いて視聴者３０が指で押した位置（「画面に指をタッチしますと、マークが現れます。見たい場所を軽くノックしてください」の位置）を検出し、これに応じて、催事、イベント案内、広告、デパートの館内案内、新聞社提供のニュースなどのマルチメディア情報を表示する。
【００５４】
また、デパートの各階のオブジェクトを視聴者３０が指定した場合、館内案内として、図６に示すように、「ＢＦ  名店街」の案内、「１Ｆ  化粧品、靴」の案内、「２Ｆ  婦人服、専門店」の案内、「３Ｆ  時計・めがね、文具・書籍」の案内、「４Ｆ  レストラン街」の案内などが表示される。
【００５５】
図７は、第１参考例のインタラクティブ表示装置１０における表示板１０６の画面構成の第２例である。
【００５６】
同様の主旨で、視聴者３０が図中の「画面に指をタッチしますと、マークが現れます。見たい場所を軽くノックしてください」と表示されているタッチパネル１０６６上に指を触れることによって、天気予報の情報、映画・商品広告、官公庁からのお知らせ等が表示板１０６上に対話形式で表示される。
【００５７】
図８は、第１参考例のインタラクティブ表示装置１０において、属性判定に頭部、膝部、履物部の各部位で判定する様子を説明している。また図９は、第１参考例のインタラクティブ表示装置１０において、人物を画像より切り出す場合に、人物テンプレート１０２１，１０２２を小さい範囲から当てはめる動作を説明している。
【００５８】
前述の属性判定手段１０２は、人物テンプレート（例えば、後述する男性テンプレート１０２１や女性テンプレート１０２２）として人物の複数部位の特徴を用いており、併せて、各部位を表現した人物テンプレート１０２１，１０２２に対して、サイズの小さい人物テンプレート１０２１，１０２２からサイズの大きい人物テンプレート１０２１，１０２２を用いている。
【００５９】
本参考例では、図８に示すように、人物の複数部位の特徴抽出（人物属性の判定）として、人物の頭部の特徴抽出、人物の膝部の特徴抽出、人物の履物の特徴抽出の３つを併せて行っている。また、図９に示すように、人物テンプレートとして、男性テンプレート１０２１や女性テンプレート１０２２を用いている。男性テンプレート１０２１においては、男性の頭部、膝部及び履物を表現した男性テンプレート１０２１に対して、サイズの小さい男性テンプレート１０２１からサイズの大きい男性テンプレート１０２１を用いている。同様に、女性テンプレート１０２２においては、男性の頭部、膝部及び履物を表現した女性テンプレート１０２２に対して、サイズの小さい女性テンプレート１０２２からサイズの大きい女性テンプレート１０２２を用いている。これにより、動物体の動きが小さくなった後（画像フレームでは常に静止状態となるが、画像ブレがない状態をいう）、あらかじめ用意した人物テンプレート１０２１，１０２２の小さい方のサイズで人物切り出しを行うことで、人物像の切り出しを行う。
【００６０】
その結果、属性判定手段１０２は、各部位を表現した男性テンプレート１０２１（女性テンプレート１０２２）に対してサイズの小さい男性テンプレート１０２１（女性テンプレート１０２２）からサイズの大きい男性テンプレート１０２１（女性テンプレート１０２２）に向かって順番に動物体とのパターンマッチングを実行する機能、部位毎の男性テンプレート１０２１（女性テンプレート１０２２）に対するパターンマッチングの結果に基づいて視聴者３０に関する人物属性を判定して属性判断結果情報１０２ａを生成する機能、属性判断結果情報１０２ａに基づいて人物像の切り出しを行う。
【００６１】
すなわち、人物属性を検知する際に、属性判定手段１０２が、人物テンプレート１０２１，１０２２として人物の複数部位の特徴を用い、各部位を表現した人物テンプレート１０２１，１０２２に対してサイズの小さい人物テンプレート１０２１，１０２２からサイズの大きい人物テンプレート１０２１，１０２２に向かって順番に動物体とのパターンマッチングを実行するので、歩き回る視聴者３０に加えて、静止状態の視聴者３０も属性判定の対象とすることができる。
【００６２】
また、属性判定手段１０２が、ＩＥＥＥ１３９４ディジタルビデオ信号１０１ａに基づいて形成される動物体のイメージの動きが小さくなったことを検出した後に、部位毎の人物テンプレート１０２１，１０２２に対するパターンマッチングの結果に基づいて視聴者３０に関する人物属性を判定して属性判断結果情報１０２ａを生成し、この属性判断結果情報１０２ａに基づいて人物像の切り出しを行うので、自由位置にいる人物であって静止した状態にある視聴者３０に対しても属性の検出ができるようになり、また、動物体としての視聴者３０に加えて、対象エリアに進入しその後に静止する状況にある視聴者３０に対する属性の抽出ができるようになり、更に、ヘアスタイル、眉毛に頭部の属性特徴が表れるものの、頭部（顔面）だけではなく複数の部位を用いて属性の抽出ができるようになり入力画像の解像度条件や視聴者３０の向きなどの撮影条件に対する自由度を増やすことができるようになる。
【００６３】
以上説明したように、第１参考例によれば、コンテンツ４０を視聴した者を撮影するＩＥＥＥ１３９４ディジタルビデオカメラ１０１として、ＩＥＥＥ１３９４フォーマットに基づくＩＥＥＥ１３９４ディジタルビデオ信号１０１ａを用いているので、画像処理の前処理が不要である。
【００６４】
また、属性判定手段１０２が、ＩＥＥＥ１３９４ディジタルビデオ信号１０１ａに基づいて形成される動物体のイメージの動きが小さくなったことを検出した後に、視聴者３０に関する人物属性を判定して属性判断結果情報１０２ａを生成するので、歩き回る視聴者３０に加えて、静止状態の視聴者３０も属性判定の対象とすることができる。
【００６５】
また、人物属性を検知する際に、自由位置にいる人物であって静止した状態にある視聴者３０に対しても属性の検出ができるようになり、また、動物体としての視聴者３０に加えて、対象エリアに進入しその後に静止する状況にある視聴者３０に対する属性の抽出ができるようになる。
【００６６】
これにより、設置された広告板に対する定量的な判定（つまり視聴者３０に役立っているかどうか）、あるいは広告宣伝効果を計ることができるようになる。
【００６７】
（第１実施形態）
図１０は、第１実施形態のインタラクティブ表示装置１０の機能ブロック図であって、入力コマンドに応じてサブフレーム制御するための機能ブロック図である。なお、参考例において既に記述したものと同一の部分については、同一符号を付し、重複した説明は省略する。
【００６８】
図１０に示すインタラクティブ表示装置１０は、前述したように、広告用の表示板１０６、街頭やショッピングモール、デパートに設置され、コンテンツの視聴を支援する案内板に利用されるインタラクティブ表示装置１０であって、仮想表示制御を行い、表示面にサブフレーム表示を行い、表示有効面積の拡大を行う点に特徴を有し、前述の表示板１０６、表示制御手段１０５、コマンド入力手段１０７、コマンド解析手段１０８、コンテンツ蓄積手段１３０、表示選択手段１０１０を中心とするハードウェア構成となっている。
【００６９】
表示制御手段１０５は、サブフレームとして複数のレイヤを用いた仮想表示に関する表示制御を行う機能を有している。
【００７０】
コマンド入力手段１０７は、コンテンツ４０をセンターシステム２０８側もしくは表示板１０６側でインタラクティブに変更するためのコマンドまたはサブフレーム表示を指示する仮想表示コマンド１０７ａを、視聴者３０から受け取る機能を有し、前述のタッチパネル１０６６や座標検出装置１０６７を以て実現している。
【００７１】
コマンド解析手段１０８は、入力されたコマンドの指示内容を解析すると共に、解析したコマンドが仮想表示コマンド１０７ａであると判定した場合にサブフレームを用いた仮想表示の指示が生起されたことを解析情報として出力する機能を有し、前述のＰＣを以て実現している。
【００７２】
コンテンツ蓄積手段１３０は、各種のコンテンツ４０が蓄積されており、コンテンツ４０の出力要求を受けたときに出力要求に応じたコンテンツ４０を読み出して出力する機能を有し、前述のハードディスクを以て実現している。
【００７３】
表示選択手段１０１０は、解析情報に応じて複数のレイヤに対応したコンテンツ４０を読み出す要求をコンテンツ蓄積手段１３０に指示する機能、コンテンツ蓄積手段１３０から受け取った複数のレイヤに対応したコンテンツ４０を表示制御手段１０５に出力する機能を有し、前述のＰＣを以て実現している。
【００７４】
本実施形態では、複数のレイヤの各々は、レイヤ１表示メモリ１０６２、レイヤ２表示メモリ１０６３、レイヤ３表示メモリ１０６４の各々に保持されている。
【００７５】
このようなハードウェア構成において、表示制御手段１０５は、表示板１０６の全体表示面積に対して複数のレイヤに対応したコンテンツ４０を用いたサブフレーム表示制御を実行する。
【００７６】
具体的には、表示制御手段１０５は、表示板１０６の全体表示面積に対して、レイヤ１表示メモリ１０６２に保持されているレイヤに対応したコンテンツ４０、レイヤ２表示メモリ１０６３に保持されているレイヤに対応したコンテンツ４０、レイヤ３表示メモリ１０６４に保持されているレイヤに対応したコンテンツ４０を用いたサブフレーム表示制御を実行する。
【００７７】
図１１は、第１実施形態のインタラクティブ表示装置１０において、表示板１０６にサブフレームを表示する動作を説明している。
【００７８】
図１１（ａ）に示すように、表示板１０６の前面に取り付けられたタッチパネル１０６６下に表示される「詳細はここをタッチしてください」をいうメッセージに対応してタッチパネル１０６６に設けられているタッチ・コマンド入力部１０６１を視聴者３０が指で押すと、前述の座標検出装置１０６７が押された位置を検出する。
【００７９】
これに応じて、コマンド解析手段１０８が、前述の座標検出装置１０６７からの位置データに基づいて、入力されたコマンドの指示内容を解析し、解析したコマンドが仮想表示コマンド１０７ａであると判定した場合にサブフレームを用いた仮想表示の指示が生起されたことを解析情報として出力する。
【００８０】
これに応じて、表示選択手段１０１０が、図１１（ｂ）に示すように、コマンド解析手段１０８からの解析情報に応じて、レイヤ１表示メモリ１０６２に保持されているレイヤに対応したコンテンツ４０、レイヤ２表示メモリ１０６３に保持されているレイヤに対応したコンテンツ４０、あるいはレイヤ３表示メモリ１０６４に保持されているレイヤに対応したコンテンツ４０を読み出す要求をコンテンツ蓄積手段１３０に指示し、更に、コンテンツ蓄積手段１３０から受け取った対応するコンテンツ４０（サブフレーム表示対象コンテンツ４０）を表示制御手段１０５に出力する。
【００８１】
これに応じて、表示制御手段１０５は、図１１（ｂ）に示すように、サブフレーム表示対象コンテンツ４０（図中、「１階  紳士靴」，「２階  プレタポルテ」，「３階  子供服」，「４階  台所用品」，「５階  レストラン街」）を、表示画面（図中の女性の画面）上にオーバーレイ表示する。ここで、サブフレーム表示とは、ＰＣなどで用いられているマルチウィンドウ表示の一形態を意味する。
【００８２】
以上説明したように、第１実施形態によれば、コマンド入力手段１０７が、コンテンツ４０をセンターシステム２０８側もしくは表示板１０６側でインタラクティブに変更するためのコマンドまたはサブフレーム表示を指示する仮想表示コマンド１０７ａを視聴者３０から受け取り、これに応じてコマンド解析手段１０８が、入力されたコマンドの指示内容を解析し、解析したコマンドが仮想表示コマンド１０７ａであると判定した場合にサブフレームを用いた仮想表示の指示が生起されたことを解析情報として出力し、これに応じて表示制御手段１０５が、サブフレームとして複数のレイヤを用いた仮想表示に関する表示制御を表示板１０６に対して行うので、表示板１０６の画面に対する有効表示面積が限られてしまうようなケースを回避でき、その結果、多くの情報をインタラクティブに表示することができるようになる。
【００８３】
（第２参考例）
図１４は、第２参考例のインタラクティブ表示装置１０の機能ブロック図であって、属性判定結果に応じて表示するコンテンツ４０を変更する様子を示している。なお、第１参考例あるいは第１実施形態において既に記述したものと同一の部分については、同一符号を付し、重複した説明は省略する。
【００８４】
図１４に示すインタラクティブ表示装置１０は、図１４に示すように、属性による判定結果からコンテンツ４０を選択して、視聴者３０に最適な内容を表示させる点に特徴を有し、前述の表示板１０６、前述のＩＥＥＥ１３９４ディジタルビデオカメラ１０１、前述の属性判定手段１０２、更に加えて、コンテンツ蓄積手段１３０、選択手段１１０を中心とするハードウェア構成となっている。
【００８５】
属性判定手段１０２は、前述の諸機能に加えて、ＩＥＥＥ１３９４ディジタルビデオ信号１０１ａに基づいて形成されるイメージを用いて、視聴者３０に関する人物属性を判定して属性判断結果情報１０２ａを生成する機能、属性判断結果情報１０２ａに基づいて人物像の切り出しを行う機能を備えている。
【００８６】
コンテンツ蓄積手段１３０は、静止画または動画の少なくともいずれかを含んで構成されているコンテンツ４０を、あらかじめ視聴者属性毎に区分した視聴者属性区分データ１１０ａとして蓄積する機能を有し、具体的には、前述のハードディスクを以て実現している。
【００８７】
選択手段１１０は、属性判断結果情報１０２ａに応じて、視聴者属性区分データ１１０ａの中から表示すべきコンテンツ４０をコンテンツ蓄積手段１３０から選択して読み出す機能を有し、具体的には、前述のＰＣを以て実現している。
【００８８】
図１２は、第２参考例のインタラクティブ表示装置１０において用いられる視聴者属性区分データ１１０ａの格納図である。
【００８９】
第２参考例のインタラクティブ表示装置１０では、視聴した人物の属性を使い、あらかじめ属性毎に区分けしたコンテンツ４０が図１２に示すように用意されている。
【００９０】
ここで本参考例の視聴者属性区分データ１１０ａとしては、図１２に示すように、男性向けコンテンツテーブル１１１と女性向けコンテンツテーブル１１２とを用意している。
【００９１】
男性向けコンテンツテーブル１１１を構成する視聴者属性は、図５に示すようにスカートを着用しているか否か、ソックスを素足にはいているか否かである。
【００９２】
一方、女性向けコンテンツテーブル１１２を構成する視聴者属性は、図５に示すようにスカートを着用しているか否か、ソックスを素足にはいているか否かである。
【００９３】
この場合、コンテンツ蓄積手段１３０は、静止画または動画の少なくともいずれかを含んで構成されているコンテンツ４０を、あらかじめ男性、女性毎に区分した男性向けコンテンツテーブル１１１と女性向けコンテンツテーブル１１２として蓄積している。
【００９４】
属性判定手段１０２は、前述したように、ＩＥＥＥ１３９４ディジタルビデオ信号１０１ａに基づいて形成されるイメージを用いて、視聴者３０（男性または女性）に関する人物属性（男性、女性）を判定して属性判断結果情報１０２ａを生成し、属性判断結果情報１０２ａに基づいて人物像の切り出しを行う。
【００９５】
選択手段１１０は、属性判断結果情報１０２ａに応じて、男性向けコンテンツテーブル１１１と女性向けコンテンツテーブル１１２の中から表示すべき男性向けのネクタイ、ポロシャツ、あるいはベルトに関するコンテンツ４０、または女性向けの口紅、ブラウスあるいはベルトに関するコンテンツ４０をコンテンツ蓄積手段１３０から選択して読み出す。
【００９６】
図１３は、第２参考例のインタラクティブ表示装置１０において用いられるタイムテーブル２０９により表示を行う様子を示している。
【００９７】
本参考例のコンテンツ蓄積手段１３０には、上記のコンテンツ４０に加えて、タイムテーブル２０９に応じたいろいろなルーチン的に表示されるコンテンツ４０も記憶されている。
【００９８】
このようなルーチン的に表示されるコンテンツ４０は、図１３に示すように、例えば、［時刻（６：５９．５５）に（コンテンツ４０＃１０１＝「時報」）を表示する］，［時刻（７：００．００）に（コンテンツ４０＃１＝「天気予報  横浜」）を表示する］，［時刻（７：００．０５）に（コンテンツ４０＃２＝「天気予報  東京」）を表示する］，［時刻（７：００．１０）に（コンテンツ４０＃３＝「天気予報  静岡」）を表示する］，［時刻（７：００．１５）に（コンテンツ４０＃４＝「中国料理  ○○の朝食」）を表示する］，…，［時刻（２３：５９．５５）に（コンテンツ４０＃１０１＝「時報」）を表示する］などで構成されている。
【００９９】
このため、インタラクティブ表示装置１０は、時刻に応じて、時刻（６：５９．５５）に（コンテンツ４０＃１０１＝「時報」）を表示し、続いて、時刻（７：００．００）に（コンテンツ４０＃１＝「天気予報  横浜」）を表示し、続いて、時刻（７：００．０５）に（コンテンツ４０＃２＝「天気予報  東京」）を表示し、続いて、時刻（７：００．１０）に（コンテンツ４０＃３＝「天気予報  静岡」）を表示し、続いて、時刻（７：００．１５）に（コンテンツ４０＃４＝「中国料理  ○○の朝食」）を表示し、…、時刻（２３：５９．５５）に（コンテンツ４０＃１０１＝「時報」）をルーチン的に表示する。
【０１００】
以上説明したように、第２参考例によれば、属性判定手段１０２が、ＩＥＥＥ１３９４ディジタルビデオ信号１０１ａに基づいて形成されるイメージを用いて、視聴者３０に関する人物属性を判定して生成した属性判断結果情報１０２ａに基づいて人物像の切り出しを行い、これに応じて選択手段１１０が、属性判断結果情報１０２ａに応じて、コンテンツ蓄積手段１３０に蓄積されている視聴者属性区分データ１１０ａの中から表示すべき（すなわち、検出した人物属性に相応しい）コンテンツ４０をコンテンツ蓄積手段１３０から選択して読み出すので、一般的なＴＶの放映（ＯＮ−ＡＩＲ）と異なり、視聴者３０の属性や動きにマッチした（すなわち、広告効果や視聴者満足度の高い）コンテンツ４０に表示板１０６にベストタイミングで表示できるようになる。
【０１０１】
（第３参考例）
図１５は、第３参考例のインタラクティブ表示装置１０の機能ブロック図であって、衝撃検知センサー１６０により破壊行為者を記録する様子を示している。なお、第１、第２参考例、第１実施形態において既に記述したものと同一の部分については、同一符号を付し、重複した説明は省略する。
【０１０２】
第３参考例のインタラクティブ表示装置１０は、衝撃検知センサー１６０が、検知した時間よりΔｔ時間前からの画像をバッファ領域から連続的に（フレーム飛ばしを行うことも可能）蓄積手段１４０に取り込み、表示板１０６の破損状況をモニタする（破損した人物を特定する）点に特徴を有し、前述の表示板１０６、衝撃検知センサー１６０、前述のＩＥＥＥ１３９４ディジタルビデオカメラ１０１、前述の蓄積手段１５０、前述の属性判定手段１０２を中心とするハードウェア構成となっている。
【０１０３】
衝撃検知センサー１６０は、破壊行為実行者３１によって表示板１０６に衝撃力が加えられたか否かをモニタリングする機能、衝撃力を検知した際に衝撃検知信号（トリガー）１６０ａを生成する機能を有し、具体的には、加速度センサを用いて実現している。
【０１０４】
ＩＥＥＥ１３９４ディジタルビデオカメラ１０１は、前述の諸機能に加えて、表示板１０６の近傍を撮影してＩＥＥＥ１３９４ディジタルビデオ信号１０１ａとして出力する機能を有している。
【０１０５】
蓄積手段１５０は、前述の諸機能に加えて、ＩＥＥＥ１３９４ディジタルビデオ信号１０１ａを蓄積する機能を有している。
【０１０６】
属性判定手段１０２は、前述の諸機能に加えて、衝撃検知信号を受け取ったタイミングの前後にわたるＩＥＥＥ１３９４ディジタルビデオ信号１０１ａを蓄積手段に蓄積保存して表示板の破損状況（破壊行為実行者３１）をモニタする制御を実行する機能を有し、具体的には、前述のＰＣを用いて実現している。
【０１０７】
以上説明したように、第３参考例によれば、衝撃検知センサー１６０が、破壊行為実行者３１によって表示板１０６に衝撃力が加えられたか否かをモニタリングしており、衝撃力を検知した際に衝撃検知信号（トリガー）１６０ａを生成する。これに応じて、ＩＥＥＥ１３９４ディジタルビデオカメラ１０１が、表示板１０６の近傍（破壊行為実行者３１）を撮影してＩＥＥＥ１３９４ディジタルビデオ信号１０１ａとして出力する。これにより、破壊行為実行者３１によって表示板１０６が蹴飛ばされたり、落書きされたり、傷つけられたり、持ち去られようとしたりといった破損事故を自動的に監視することができるようになる。更に、蓄積手段１５０が、ＩＥＥＥ１３９４ディジタルビデオカメラ１０１からのＩＥＥＥ１３９４ディジタルビデオ信号１０１ａを蓄積（録画）するので、破壊行為実行者３１によって表示板１０６が蹴飛ばされたり、落書きされたり、傷つけられたり、持ち去られようとしたりといった破損事故の証拠を自動的に残すことができるようになる。更に、属性判定手段１０２は、衝撃検知信号（トリガー）１６０ａを受け取ったタイミングの前後にわたるＩＥＥＥ１３９４ディジタルビデオ信号１０１ａを蓄積手段１５０に蓄積保存して破壊行為実行者３１による表示板１０６の破損状況をモニタする制御を実行する機能を備えているので、破損事故の発生した因果関係や経緯を記録として残しておくことができ、後の検証などの時に有力な状況証拠撮影記録として活用することができる。
【０１０８】
（第４参考例）
図１６は、第４参考例のインタラクティブ表示装置１０の機能ブロック図であって、自表示画像をＩＥＥＥ１３９４ディジタルビデオカメラ１０１より入力した画像で自己診断する様子を示している。また図１７は、第４参考例のインタラクティブ表示装置１０の機能ブロック図であって、表示板１０６上部に取り付けた画像入力部を示している。なお、第１〜第３参考例において既に記述したものと同一の部分については、同一符号を付し、重複した説明は省略する。
【０１０９】
第４参考例のインタラクティブ表示装置１０は、前述の表示板１０６、前述のＩＥＥＥ１３９４ディジタルビデオカメラ１０１、前述の表示制御手段１０５、マスク手段１７０、画像比較手段１８０を中心とするハードウェア構成となっている。
【０１１０】
電気的手段により表示内容が変更できる表示板１０６は、システムの何らかの原因により表示が行われなくなる、いわゆる故障が発生することがある。
【０１１１】
そこで、第４参考例のインタラクティブ表示装置１０では、図１７に示すように、表示板１０６の上部に画像入力手段１０１を取り付け、視聴者３０及び表示板１０６自体を撮影可能な広角のレンズを取り付けると、図１６（ｃ）のように、表示板１０６と前面の対象物が同時に写る。この中から前面の対象物画像をマスク１９０して、表示板１０６に正しく表示しているはずの比較データ１８０ａと比較する。この時、不一致の閾値を超えた場合は、故障と判定できる。表示色のバランスが狂った場合、又は前面に汚れが付着した場合も、同様の方法で検知でき、表示板１０６の正しい運用が可能となる。
【０１１２】
ＩＥＥＥ１３９４ディジタルビデオカメラ１０１は、前述の諸機能に加えて、視聴者３０及び表示板１０６自体を撮影可能な広角のレンズが取り付けられた（マウント）状態で、表示板１０６及びその前面に位置する対象物（図１７に示す上下視野範囲に位置する対象物）を同時に撮影してＩＥＥＥ１３９４ディジタルビデオ信号１０１ａとして出力する機能を有している。
【０１１３】
マスク手段１７０は、撮影された画像の中から表示板１０６の前面の対象物の画像に関するＩＥＥＥ１３９４ディジタルビデオ信号１０１ａに対してマスク処理を実行する機能、表示板１０６の画像の部分に関するＩＥＥＥ１３９４ディジタルビデオ信号１０１ａを切り出す機能を備えており、具体的には、前述のＰＣを用いて実現している。
【０１１４】
画像比較手段１８０は、表示板１０６に正しく表示しているはずの比較データ１８０ａと表示板１０６の画像の部分に関するＩＥＥＥ１３９４ディジタルビデオ信号１０１ａとを比較すると共に、比較結果が所定の不一致に関する閾値を超えた場合に、表示板１０６に表示される表示色のバランスが狂ったことに起因する故障、または表示板１０６の前面に汚れが付着したことに起因する故障と判定してその旨を出力する機能を有し、具体的には、前述のＰＣを用いて実現している。
【０１１５】
以上説明したように、第４参考例によれば、ＩＥＥＥ１３９４ディジタルビデオカメラ１０１には視聴者３０及び表示板１０６自体を撮影可能な広角のレンズが取り付けられている。このような広角のレンズが取り付けられたＩＥＥＥ１３９４ディジタルビデオカメラ１０１は、表示板１０６及びその前面に位置する視聴者３０（図１７に示す上下視野範囲に位置する視聴者３０）を同時に撮影してＩＥＥＥ１３９４ディジタルビデオ信号１０１ａとして出力する。これに応じて、マスク手段１７０は、ＩＥＥＥ１３９４ディジタルビデオカメラ１０１によって撮影された画像の中から表示板１０６の前面の対象物の画像に関するＩＥＥＥ１３９４ディジタルビデオ信号１０１ａに対してマスク処理を実行し、マスク１９０の結果に基づいて表示板１０６の画像の部分に関するＩＥＥＥ１３９４ディジタルビデオ信号１０１ａを切り出す。これに応じて、画像比較手段１８０が、表示板１０６に正しく表示しているはずの比較データ１８０ａと表示板１０６の画像の部分に関するＩＥＥＥ１３９４ディジタルビデオ信号１０１ａとを比較する。具体的には、視聴者３０及び表示板１０６自体を撮影可能な広角のレンズを取り付けた場合、表示板１０６とその前面の対象物が同時に撮影することができるので、この撮影画像中から前面の対象物画像をマスク１９０して、表示板１０６に正しく表示しているはずの比較データ１８０ａと比較することができるようになり、その結果、不一致の閾値を超えた場合に故障と判定できる。更に、画像比較手段１８０を設けることにより、このときの比較結果が所定の不一致に関する閾値を超えた場合に、表示板１０６に表示される表示色のバランスが狂ったことに起因する故障、または表示板１０６の前面に汚れが付着したことに起因する故障と判定してその旨を出力する結果、電気的手段により表示内容が変更できる表示板１０６において、システムの何らかの原因により表示が行われなくなるといった故障、表示色のバランスが狂ったといった故障、前面に汚れが付着したといった故障を検知できるようになり、表示板１０６の正しい運用が可能となる。
【０１１６】
（第５参考例）
第５参考例のインタラクティブ表示装置１０は、上述の第１〜第４参考例及び第１実施形態に用いられる。
【０１１７】
図１８（ａ）は、従来技術の表示板１０６に用いられる表示板１０６の３色発光の素子の四角マトリックス配置を示し、同図（ｂ）は、第１〜４参考例及び第１実施形態のインタラクティブ表示装置１０に用いられる表示板１０６の３色発光の素子の菱形配置を示している。
【０１１８】
表示板１０６は、図１８（ｂ）に示すように、モールド発光素子１０６５を菱形配置で集積して構成されいる。
【０１１９】
図１９は、第１〜４参考例及び第１実施形態のインタラクティブ表示装置１０に用いられる表示板１０６の３色発光の素子の構造を説明している。
【０１２０】
図１９に示すモールド発光素子１０６５は、赤（Ｒ）、緑（Ｇ）、青（Ｂ）の各色を発光する発光ダイオード（ＬＥＤ）を１つのモールドに形成した表示素子がある。これを多数並べて図１８（ｂ）のように集積表示板１０６を作成することができる。
【０１２１】
この場合、従来は図１８（ａ）のように正方形に並べて形成する方法が一般的である。しかし、この場合は、各モールド発光素子１０６５間に一定のギャップを作る必要があるため、４個のモールド発光素子１０６５の中間により大きなギャップが生まれて、全体としては集積度が上がらない。
【０１２２】
そのための解決法として、モールド発光素子１０６５を三角形の形状になるように配置し、形成すると、モールド発光素子１０６５を菱形状に配置したもの（図１８（ｂ））と同一となり、正方形の形成と比較して密度の高い配置が可能となる。これにより、より輝度の高い、また精細な色表現が可能となる。
【０１２３】
図１８（ｂ）に示すモールド発光素子１０６５の各々は、図１９に示すように、赤色発光素子Ｒ（ＬＥＤ）、緑色発光素子Ｇ（ＬＥＤ）、青色発光素子Ｂ（ＬＥＤ）をカソードコモンで接続し、可視光波長範囲で透明性を有する樹脂で封止（モールド）した形状となっている。モールド発光素子１０６５は、赤色発光素子Ｒのアノード−カソード間に電圧を印加することにより赤色に発光し、緑色発光素子Ｇのアノード−カソード間に電圧を印加することにより緑色に発光し、青色発光素子Ｂのアノード−カソード間に電圧を印加することにより青色に発光する。
【０１２４】
以上説明したように、第５参考例によれば、表示板１０６の表示面を構成する発光素子Ｒ，Ｇ，Ｂが菱形配置されているので、前述の四角マトリックス配置に比較して各発光素子Ｒ，Ｇ，Ｂ（モールド発光表示素子（Ｒ，Ｇ，Ｂ））間のギャップを小さくでき、近接した４個の発光素子Ｒ，Ｇ，Ｂの中間の隙間を小さくでき、その結果、発光素子Ｒ，Ｇ，Ｂの集積度を向上させることができるようになる。
【図面の簡単な説明】
【０１２５】
【図１】第１参考例のインタラクティブ表示装置の全体システムを説明するための機能ブロック図である。
【図２】第１参考例のインタラクティブ表示装置において、プラズマディスプレイなどの電気的表示を行う表示板に画像入力手段、属性判定手段、ログ記憶手段を付加した構成図である。
【図３】図１の第１参考例のインタラクティブ表示装置の具体的なシステムの全体構成図である。
【図４】第１参考例のインタラクティブ表示装置において、表示板を見る女子高生を説明している。
【図５】第１参考例のインタラクティブ表示装置における特徴抽出の概念図である。
【図６】第１参考例のインタラクティブ表示装置における表示板の画面構成の第１例である。
【図７】第１参考例のインタラクティブ表示装置における表示板の画面構成の第２例である。
【図８】第１参考例のインタラクティブ表示装置において、属性判定に頭部、膝部、履物部の各部位で判定する様子を説明している。
【図９】第１参考例のインタラクティブ表示装置において、人物を画像より切り出す場合に、人物テンプレートを小さい範囲から当てはめる動作を説明している。
【図１０】第１実施形態のインタラクティブ表示装置の機能ブロック図であって、入力コマンドに応じてサブフレーム制御するための機能ブロック図である。
【図１１】第１実施形態のインタラクティブ表示装置において、表示板にサブフレームを表示する動作を説明している。
【図１２】第２参考例のインタラクティブ表示装置において用いられる視聴者属性区分したデータの格納図である。
【図１３】第２参考例のインタラクティブ表示装置において用いられるタイムテーブルにより表示を行う様子を示している。
【図１４】第２参考例のインタラクティブ表示装置の機能ブロック図であって、属性判定結果に応じて表示するコンテンツを変更する様子を示している。
【図１５】第３参考例のインタラクティブ表示装置の機能ブロック図であって、衝撃検知センサーにより破壊行為者を記録する様子を示している。
【図１６】第４参考例のインタラクティブ表示装置の機能ブロック図であって、自表示画像を画像入力手段より入力した画像で自己診断する様子を示している。
【図１７】第４参考例のインタラクティブ表示装置の機能ブロック図であって、表示板上部に取り付けた画像入力部を示している。
【図１８】同図（ａ）は、従来技術の表示板に用いられる表示板の３色発光の素子の四角マトリックス配置を示し、同図（ｂ）は、第５参考例のインタラクティブ表示装置を説明する図であり、第１〜第４参考例及び第１実施形態のインタラクティブ表示装置に用いられる表示板の３色発光の素子の菱形配置を示している。
【図１９】第１〜第４参考例及び第１実施形態のインタラクティブ表示装置に用いられる表示板の３色発光の素子の構造を説明している。
【図２０】従来の光る広告板の一実施形態を説明するための構成図である。
【図２１】図２０の光る広看板に画像入力手段を付加した実施形態を説明するための構成図である。
【図２２】従来技術を説明するための図である。
【符号の説明】
【０１２６】
１０…インタラクティブ表示装置
１０Ａ…壁面タイプのインタラクティブ表示装置
１０Ｂ…フロアタイプのインタラクティブ表示装置
１０１…画像入力手段（ビデオカメラ）
１０１ａ…ビデオ信号
１０２…属性判定手段
１０２ａ…属性判断結果情報（属性判定の結果）
１０２１…男性テンプレート
１０２２…女性テンプレート
１０３…ログ記憶手段
１０５…表示制御手段
１０６…表示板
１０６Ａ…プラズマディスプレイ（表示板）
１０６Ｂ…ＣＲＴ表示装置（表示板）
１０６Ｃ…モールド発光素子集積表示板
１０６１…タッチ・コマンド入力部
１０６２…レイヤ１表示メモリ
１０６３…レイヤ２表示メモリ
１０６４…レイヤ３表示メモリ
１０６５…モールド発光素子
１０６６…タッチパネル（表示板）
１０６７…座標検出装置（表示板）
１０７…コマンド入力手段
１０７ａ…仮想表示コマンド
１０８…コマンド解析手段
１０１０…表示選択手段
１１０…選択手段
１１０ａ…視聴者属性区分データ
１１１…男性向けコンテンツテーブル
１１２…女性向けコンテンツテーブル
１３０…コンテンツ蓄積手段
１５０…蓄積手段
１６０…衝撃検知センサー
１６０ａ…衝撃検知信号（トリガー）
１７０…マスク手段
１８０ａ…比較データ
１８０…画像比較手段
１９０…マスク
２００…画像認識装置
２００ａ…プレゼンテーション・データ
２００ｂ…スケジュール・データ
２０１…アンテナ
２０２…無線カードＩＤ認識装置
２０３…ＣＰＵ（パーソナルコンピュータ）
２０４…蓄積装置（ハードディスク）
２０５…通信Ｉ／Ｆ
２０６…公衆網
２０８…配信管理ホストコンピュータ
２０９…タイムテーブル
２１０…キャッシュ・サーバー
２１１…配信サーバー
２１２…ディジタルカメラ
３０…視聴者
３１…破壊行為実行者
３２…通りすがりの女子高生
４０…コンテンツデータ
Ｒ…赤発光ＬＥＤ
Ｇ…緑発光ＬＥＤ
Ｂ…青発光ＬＥＤ
【図１】
2005107546.tif 000003
【図２】
2005107546.tif 000004
【図３】
2005107546.tif 000005
【図４】
2005107546.tif 000006
【図５】
2005107546.tif 000007
【図６】
2005107546.tif 000008
【図７】
2005107546.tif 000009
【図８】
2005107546.tif 000010
【図９】
2005107546.tif 000011
【図１０】
2005107546.tif 000012
【図１１】
2005107546.tif 000013
【図１２】
2005107546.tif 000014
【図１３】
2005107546.tif 000015
【図１４】
2005107546.tif 000016
【図１５】
2005107546.tif 000017
【図１６】
2005107546.tif 000018
【図１７】
2005107546.tif 000019
【図１８】
2005107546.tif 000020
【図１９】
2005107546.tif 000021
【図２０】
2005107546.tif 000022
【図２１】
2005107546.tif 000023
【図２２】
2005107546.tif 000024